(57)【要約】    【課題】  止め具の支持片がどの位置においても内側へ簡単に曲がって支持片の両端部への負荷を可及的に小さくし、蓋を確実に閉蓋することができる、閉蓋用止め具を提供する。さらに収納量の増減にかかわらず蓋を簡単かつ確実に止めることができるかばんを提供する。    【解決手段】  支持片１と係合部材９とからなるかばんの閉蓋用止め具。支持片１は概略二等辺三角形の表地２と裏地３を重ね合わせた側縁６をテープ状の被覆地４に挟み込んで縫い糸５で縫い縮ませて縫合し、側縁６に縫い縮み部７を形成させたことによって支持片１を椀状Ｗに形成させてなる。係合部材９は金属製の板に２乃至３個の嵌合用穴８を適当数穿設してなる。【選択図】  図１
2005152254.tif 000002
【特許請求の範囲】
【請求項１】
内側が凹面の椀状を呈し、基端がかばんの蓋に取り付けられるべき支持片と、かばん本体に設けられている被係合部に着脱自在であって、前記支持片の先端に設けられている係合部材とからなるかばんの閉蓋用止め具。
【請求項２】
前記支持片が略三角形状を呈し、その一辺が前記かばんの蓋に取り付けられている基端であり、かつ対向する頂点が前記係合部材が設けられている先端である請求項１記載のかばん閉蓋用止め具。
【請求項３】
前記支持片が、平坦な生地の縁を縮めることにより形成されている請求項１記載のかばんの閉蓋用止め具。
【請求項４】
前記支持片が、平坦なシートを凹面の椀状を成型したものである請求項１記載の閉蓋用止め具。
【請求項５】
前記支持片の凹面が反転自在である請求項１または４記載のかばんの閉蓋用止め具。
【請求項６】
かばんの開口部の背面側より延びる可動蓋の先端に設けられている閉蓋用止め具が、前記可動蓋にその基端が連結され、また内側が凹面の椀状に維持され、かつ先端に向かって幅が狭くなっている略三角形状である支持片と、その支持片の先端に設けられている係合部材とからなり、前記開口部の閉蓋状態において、前記支持片がかばんの正面から底面にかけて曲がり、係合部材がかばんの底面に設けられている被係合部に係合する閉蓋用止め具を用いたかばん。
【請求項７】
かばんの開口部の背面側より延び、かつ開口部を閉蓋可能にする支持片と、この支持片の先端に設けられ、かつ前記開口部の正面側に設けられている被係合部に着脱自在とする係合部材とからなり、前記支持片の内側が凹面の椀状に維持され、かつ先端に向かって幅が狭くなっている略三角の形状を形成している閉蓋用止め具を用いたかばん。
【発明の詳細な説明】
【技術分野】
【０００１】
本発明はかばんの開口部を開閉自在にする蓋の自由端をかばん本体に止めるための閉蓋用止め具に関する。さらに詳しくは、かばんの開口部の閉蓋状態において蓋の先端が位置するかばん面と蓋が係合することが外観および機能上、不都合が生じる場合、この蓋を上記以外のかばん面で係合するための閉蓋用取り付け具に関する。また本発明はかばんの開口部を部分的に閉蓋し、開口部の対向面を結合するための閉蓋用取り付け具に関する。
【背景技術】
【０００２】
多見せられるランドセルの蓋はランドセルの正面を全面被覆した状態で天部の開口部を閉蓋し、該蓋はこの先端に設けられている止め具の係合部材をランドセルの底面に設けられている係合具の被係合部に係合してかばん本体に固定される。また開口部は確実に閉蓋される。この止め具は通常、蓋の下端にかしめて連結される支持片と、この支持片の下方に設けられている係合部材とからなっている。
従来の支持片は、その一部が内向きに曲がっていて、その曲がり状態を維持することができる略Ｖ字状の帯片からなっている。全体的には厚手で張りがあり、さらにそれ相当に重量があり、前記曲げ部分以外は扁平になっている。また係合部材は、前記被係合部の回転用突起に着脱自在の嵌合用穴が２〜３個、穿設された金属製の薄板で、前記支持片の先端にかしめて設けられている。前記支持片の曲げ部の位置はランドセルの正面と底面が交差するコーナ部に跨る部位に施されているため、ランドセルの収納量が増減次第で蓋の下端位置が昇降し、また嵌合用穴が１乃至２個ほど移動することになる。したがって支持片の曲げ部の位置がコーナ部から逸れ、また支持片の扁平部がコーナ部に位置して該扁平部分が無理に曲げられることになるので、コーナ部は支持片によって圧迫され、またコーナ部およびこの近辺の底面は変形してしまうので、当該部分に収納される収納物の保護が充分できなくなり、また外観も不体裁になるということがあった。また上記扁平部の曲げ状態は係合部材と被係合部との係合状態が悪く、上記係合部材の嵌合用穴が上記被係合部の回転用突起から脱出したり、また係合部材が被係合部から外れて蓋や係合部材が人にぶつかったり、また物に挟まれたりなど予期せぬアクシデントが起きかねなかった。
【発明の開示】
【発明が解決しようとする課題】
【０００３】
本発明は止め具の支持片がどの位置においても内側へ簡単に曲がって支持片の両端部への負荷を可及的に小さくし、蓋を確実に閉蓋することができる、閉蓋用止め具を提供することを技術的課題とする。さらに収納量の増減にかかわらず蓋を簡単かつ確実に止めることができるかばんを提供することを目的とする。
【課題を解決するための手段】
【０００４】
本発明のかばんの閉蓋用止め具（請求項１）は、内側が凹面の椀状を呈し、基端がかばんの蓋に取り付けられるべき支持片と、かばん本体に設けられている被係合部に着脱自在であって、前記支持片の先端に設けられている係合部材とからなることを特徴としている。この支持片は略三角形状を呈し、その一辺が前記かばんの蓋に取り付けられている基端であり、かつ対向する頂点が前記係合部材が設けられている先端であることが好ましい（請求項２）。さらに平坦なの生地の縁を縮めることにより形成されているのが好ましい（請求項３）。また支持片は平坦なシートが凹面の椀状に成型されたものであってもよい（請求項４）。さらに前記支持片の凹面は反転自在であるのが一層好ましい（請求項５）。また本発明の閉蓋用止め具を用いたかばん（請求項６）は、かばんの開口部の背面側より延びる可動蓋の先端に設けられている閉蓋用止め具が、前記可動蓋にその基端が連結され、また内側が凹面の椀状に維持され、かつ先端に向かって幅が狭くなっている略三角形状である支持片と、その支持片の先端に設けられている係合部材とからなり、前記開口部の閉蓋状態において、前記支持片がかばんの正面から底面にかけて曲がり、係合部材がかばんの底面に設けられている被係合部に係合することを特徴としている。さらにその他の閉蓋用止め具を用いたかばん（請求項７）は、かばんの開口部の背面側より延び、かつ開口部を閉蓋可能にする支持片と、この支持片の先端に設けられ、かつ前記開口部の正面側に設けられている被係合部に着脱自在とする係合部材とからなり、前記支持片の内側が凹面の椀状に維持され、かつ先端に向かって幅が狭くなっている略三角の形状を形成していることを特徴としている。
【発明の効果】
【０００５】
本発明の閉蓋用止め具（請求項１）は、内側が凹面の椀状を呈し、その一辺が前記かばんの蓋に取り付けられるべき支持片と、かばん本体に設けられている被係合部に着脱自在であって、前記支持片の先端に設けられている係合部材とからなっている。つまりこの支持片は、従来の支持片のように一部分を内向きに曲げ加工しているものとは異なり、椀状になっていることによって上下方向のどの部位においても曲げることが可能になっている。したがってかばんの蓋をこの蓋の位置とは異なる面上に設けられている被係合部に係合部材をさせる場合、従来の支持片は曲げ加工以外の部分の曲げ抗力は大きく、係合は無理にされることになる。そのため係合部分の負荷は大きく、係合部分を早期に損傷にいたらしめる可能性を有していたが、この発明の止め具の支持片は上下方向のいずれの部分でも簡単かつ軽快に曲がるから、係合状態における支持片の曲げ抗力は小さく、かつ原状復帰への反発力も小さいので、係合部分の負荷は小さく、係合を確実に行うことができる。さらに支持片は曲げられた状態においても椀状は維持されているので、椀状の部分に外側から衝撃が加わった場合、椀状部がクッション作用をしてかばんの面を保護することができる。さらに支持片は左右、斜交いなど、いずれの方向からでも内向きに曲げることが簡単にできるので、仮に支持片の両側に障害物があっても支持片の両側を内向きに曲げて、原状の幅よりも幅狭にすることによって、係合部材を被係合部に係合することができる。
【０００６】
また前記支持片が略三角形状を呈し、その一辺が前記かばんの蓋に取り付けられている基端であり、かつ対向する頂点が前記係合部材が設けられている先端でるかばんの閉蓋用止め具である場合（請求項２）、被係合部の両側に突起物があっても支持片は係合部に向かって漸次幅狭になっているので、支持片が突起物に接触しないで係合部材が被係合部に係合することが可能になっている。
【０００７】
また前記支持片が、平坦な生地を縮めることにより椀状に形成されている閉蓋用止め具の場合（請求項３）、支持片は縮めることによって平坦な生地を簡単に椀状に形成することができる。また支持片の縁を縫合処理している場合、その縫合処理の時の縫い糸によって縮めることができるので、一回の作業で椀状を形成することができる。また前記支持片が、平坦なシートが凹面の椀状に成型されたものである閉蓋用止め具（請求項４）の場合、支持片はいわゆる成型加工品であるから、自然で美麗な湾曲のフォルムを長期間、確実に保持することができる。
【０００８】
さらに前記支持片の前記凹面が反転自在になっている場合（請求項５）、椀状の支持片の前記凹面が内向きあるいは外向きのいずれにも自由に形成することが可能になっている。したがって例えば支持片を内側に折り曲げて係合部材をかばんの被係合部に係合させている状態よりその係合状態を解除するとき、支持片の凹面を反転させれば、前記係合部材は被係合部から一層遠ざけることができるので、係合部材が被係合部に誤って再係合することは防止することができる。
【０００９】
本発明の閉蓋用止め具を用いたかばん（請求項６）は、かばんの開口部の背面側より延びる可動蓋の先端に設けられている取り付け具が、前記可動蓋にその基端が連結され、また内側が凹面の椀状に維持され、かつ先端に向かって幅が狭くなっている略三角形状である支持片と、その支持片の先端に設けられている係合部材とからなり、前記開口部の閉蓋状態において、前記支持片がかばんの正面から底面にかけて曲げられ、前記係合部材がかばんの底面に設けられている被係合部に係合している。つまりこのかばんの支持片はかばんの正面と底面の交差部、つまりコーナ部にかかるところを曲げることで可動蓋をかばんに固定させることを可能にしている。支持片は上記のように内側に曲げられても、内側が凹面であることに変わりはない。したがって閉蓋状態における支持片の曲げ状態は全体が緩やかな曲面を形成し、かつ内側には凹面が維持されているので、かばん表面と支持片との間には空隙が形成される。しかして空隙が形成されている支持片の表面に衝撃が加えられた場合、かばんの底面は支持片によって直撃を免れることができる。またかばんのコーナ部は物にぶつかりやすい部位であり、また擦り切れ損の多い部位でもあるが、支持片に覆われたコーナ部は従来のＶ字状の支持片と異なりコーナ部を可及的広範囲に覆っているので、底面の保護を従来に比して一層、充実させることができる。またこの支持片は内側に凹面が形成された椀状になっているので、内側への折り曲げが非常に軽快、かつ簡単に行うことができる。したがって開口部の開閉頻度が多いランドセルに上記止め具は最適である。
【００１０】
さらに他の本願発明の閉蓋用取り付け具を用いたかばん（請求項７）は、かばんの開口部の背面側より延び、かつ開口部を閉蓋可能にする支持片と、この支持片の先端に設けられ、かつ前記開口部の正面側に設けられている被係合部に着脱自在とする係合部材とからなり、前記支持片の内側が凹面の椀状に維持され、かつ先端に向かって幅が狭くなっている略三角の形状を形成している。
つまりこのかばんの支持片はこれ自体が開口部の蓋の作用をするものである。開口部の閉蓋状態における支持片は開口部を挟んで曲げられるので、側面から見るとＵ字状を形成することになる。この場合Ｕ字状の底部の奥行の内側は凹面を維持しているので、Ｕ字の両側が引っ付きあって同底部に線状の曲がり癖がつくのを防止することができる。また支持片は曲がりの程度、つまり前記Ｕ字の幅を開口部の開き幅に軽快に即応することができるので、支持片による開口部の型崩れを防止することができる。さらに支持片の表面は前記Ｕ字の幅が広狭の如何にかかわらず、表面は扁平にならないで凸面のフォルムを保持することができるので、従来のかばんの蓋にはなかった意匠効果を奏成している。
【発明を実施するための最良の形態】
【００１１】
次に図面を参照しながら本発明の閉蓋用止め具およびこの閉蓋用止め具を用いたかばんの実施形態を説明する。図１は本発明の閉蓋用止め具の一実施形態を示す斜視図、図２は図１の中央横断面、図３は図１の中央縦断面図、図４は反転状態の斜視図、図５は本発明のかばんの一実施形態を示す斜視図、図６はその要部断面図、図７は本発明のかばんの他の実施形態を示す斜視図、図８はその説明図である。
【００１２】
図１に示す閉蓋用止め具１（以下止め具と称す）の支持片１は、可撓性および張り性を有し、かつ向かい合う二辺が外側に凸状に湾曲している概略二等辺三角形の表地２および裏地３を不乾燥糊で粘着して一体とし、さらにその両側の二辺の縁を前記表地２あるいは裏地３と同じ素材からなるテープ状の被覆地４で挟み込んで、縫い糸５で縫合すると共に縫い縮めている。つまり支持片１は側縁６付近に縫い縮み部７を形成させたことによって椀状Ｗになっている。支持片１の先端にはランドセルなどの蓋の係合部材として多見する嵌合用穴８を２乃至３個ほど穿設した金属製の板状係合部材９が設けられている。なお上記表地は裏地よりも若干、厚手で、張りの強いものであっても良い。また上記係合部材は記載のものに限定されない。
【００１３】
前記支持片は側縁６に縫い縮み部７が形成されたことによって、図２に示すように支持片１の中央部Ｃは側縁６よりも高位にあり、また図３に示すように先端１０端および基端１１よりも高位にある。全体的には支持片１は薄手で、かつ軽量であって、内面は凹面１２に形成され、また外面は凸面１３に形成された椀状Ｗの形態を維持することができるようになっている。また、図３に示すように支持片１は先端１０に向かって徐々に内側へ傾斜し、特に先端側１０は基端側１１よりも急傾斜している。すなわち支持片１は椀状の形態を有しつつ、内側に傾斜した状態になっている。
【００１４】
次に上記支持片１の作用について説明する。図３に示すように、支持片１は内面が凹面１２に形成された椀状になっており、かつ内向きに傾斜しているので、長手方向のどの位置においても簡単、かつ軽快に内向きに折り曲げることができる。つまり支持片は従来の支持片のように長手方向の一部分だけが簡単に折り曲げすることができるのではなく、長手方向のどの位置においても内向き方向の曲げが抵抗なく軽快に行うことができるようになっている。さらに浅い曲げの形成はもちろんのこと深い曲げの形成であっても軽快かつ簡単に行うことができる。またそれを支持片１のどの部位においても形成することが可能になっている。その折り曲げ状態の両端部への負荷は従来の扁平のものに比し、外向き方向、つまり原状回復する方向への反発力は小さいので、両端部の負荷も当然小さくなっている。また反発力が小さいので、支持片の曲げを解除するとき、支持片１はゆっくりと、しかしながら確実に原状に回復することになる。
【００１５】
しかし、図４に示すように支持片の外側は、その凸面１３を例えば支持片１を持つ手の指先などで中央部を矢印方向に押すせば、簡単に凹面に変化せさることができる。またこの外側の凹面は反転させない限り保持することが可能になっている。つまり支持片１の椀状は凹面を内側にも外側にも自由に形成し、かつ変更させることが簡単にできるので、支持片１の使用態様に即応させることができる。
【００１６】
次に上記実施形態の閉蓋用止め具の使用方法について説明する。
図５は一般に多見せられるランドセル２０であって、開口部２１の背面２２側に可動蓋２３の基端が連結されている。閉蓋状態における可動蓋２３の下端の位置は収納物の量や高さによって変動するが、概ね開口部２１の前面２４側の下端近くに位置する。ランドセル２０の底面２５には前記係合部材９の嵌合用穴８が係合可能な回転用突起２６を有する被係合部材２７が設けられている。この被係合部材２７の両側には背負い帯２８の連結鐶２９を回動自在に連結する連結部３０が一体的に設けられている。被連結部材２７の回転用突起２６の周辺は磁気を帯び、嵌合用穴８が回転用突起２６に近づくと係合部材９が磁力で引き寄せられて被結合部材２７に磁着するようになっている。磁着することによって可動蓋２３は不動となり、開口部２２は確かに閉蓋することになる。なお、回転用突起２６を嵌合用穴８に交差するように回転させれば、嵌合用突起２６からの抜け出しが防止され、一層確かな閉蓋状態を確保することができる。
【００１７】
上記の閉蓋状態における支持片１は、図６に示すようにランドセル２０の前面２４と底面２５との交差部、つまりコーナ部３１おいて曲げられているが、支持片１はどの位置においても簡単に折り曲げることができる。また嵌合穴８の位置が前後に変動しても、支持片１には曲げ癖はついていないし、また扁平部分を折り曲げるような突っ張り感もないので、支持片１は前記の曲げ位置とは異なる部位を軽快に折り曲げることができ、また長年の使用において裂損を防止することができる。さらに曲げ癖がついていないので、無理な力が係合部分に負荷されることはないので、安全な係合状態を得ることができる。
【００１８】
図６に示されているように閉蓋状態の支持片１は外向きに張り力を有する椀状が維持されていて、コーナ部３１近辺の収納部３２の底面２５ａと支持片１との間には椀状の隙間Ｓが形成されている。したがって矢印方向からの衝撃があったとき、底面２５ａは支持片１によって直撃を免れることができるので、ランドセルの収納部３２に収納される小物、例えば携帯電話、ＣＤなどの精密機器を衝撃から保護することができる。
【００１９】
次に図６の二点鎖線で示すように、係合部材９を被係合部２７から外したとき、支持片１ａは外向きの張り力によって原状の椀状に回復すると共に可動蓋２３の延長面上にほぼ位置するので、係合部材９は被係合部材２７からは完全に離れることができる。したがって係合部材９が磁力に引き寄せられて被係合部２７に係合することは防止されている。
【００２０】
さらに開口部を開蓋するのに、可動蓋２３が支持片１を支持しながら反転させられる場合、前記支持片１ａの外側の凸面１３を支持片１を支持する持ち手の指先で内側に押して外側を凹面１２ａに変換する（図示の支持片１ｂ）と、支持片１ｂは可動蓋２３の反転方向に反っているので、可動蓋２３を開蓋させ易くなる。つまり可動蓋は前記閉蓋状態における係合部分の解除作業から可動蓋の反転作業を片手で一連に行うことができ、しかも支持片の椀状の形成をその一連作業において変換することができるので、迅速に解除と開蓋作業をおこなうことができる。なお開蓋状態より閉蓋するときは、係合作業前に支持片１の凹面１２ａを内側に変換した後に行なえばよい。
【００２１】
その他の使用方法として図７に示す手提げかばん４０の開口部４１を部分的に閉蓋するものについて説明する。
開口部４１の背面４２側に支持片１の基端１１を縫合し、同正面４３側の開口部付近に係合部材９が係合可能な被係合部材４４を設け、両者を係合して閉蓋する。この閉蓋状態における支持片１は緩やかなヘアピンカーブを形成することになるが、支持片１は先端側および基端側への付加を極力小さく止めておくことができ、また外側方向への張り性を有しているので、支持片１が開口部４１を圧迫して型崩れがおきないように防止することができる。また閉蓋状態にける支持片は外側面がわずかながら凸湾状に張り出したヘアピンカーブのフォルムを呈しているが、このフォルムはこれまでにはない審美的特徴がある。つまり支持片１は実質、蓋の作用をしながら、意匠上の作用効果も奏成している。しかもこの作用および効果は長年の使用においても保持することが可能になっている。
【００２２】
上記開口部４１を開蓋するのに係合部材９を被係合部材４４から外すと、図８に示すように支持片１はほぼ開口部４１の背面４２側の天部方向に延びて開口部へ垂れ下がるのを防止することができる。したがって収納物の出し入れを迅速に行うことができる。また収納部の状況も良く見えるので、非常に使い勝手がよい。
【００２３】
なお、支持片は前記実施形態では略三角形状を有しているが、四角形、円形、長円形など他の形状にすることもできる。またいずれの実施形態においても表地と裏地の間に板バネを介在させて、椀状の維持を一層確実にすることもできる。また支持片そのものを板バネで形成しても良い。
【図面の簡単な説明】
【００２４】
【図１】本発明の実施形態の止め具の正面図である。
【図２】図２は図１の中央横断面図である。
【図３】図３は図１の中央縦断面である。
【図４】図４は図３の反転状態の説明図である。
【図５】図５は本発明のかばんの一実施形態であるランドセルの斜視図である。
【図６】図６は図５の支持片の説明図である。
【図７】図７は本発明のかばんの他の実施形態である手提げかばんの斜視図である。
【図８】図８は図７の支持片の説明図である。
【符号の説明】
【００２５】
１  支持片
１ａ  支持片
１ｂ  支持片
２  表地
３  裏地
４  被覆地
５  縫い糸
６  側縁
７  縫い縮み部
８  嵌合用穴
９  係合部材
１０  先端
１１  基端
１２  凹面
１２ａ  凹面
１３  凸面
１３ａ  凸面
１４  誘導部
２０  ランドセル
２１  開口部
２２  背面
２３  可動蓋
２４  前面
２５  底面
２５ａ  底面
２６  回転用突起
２７  被係合部材
２８  背負い帯
２９  連結鐶
３０  連結部
３１  コーナ部
３２  収納部
４０  手提げかばん
４１  開口部
４２  背面
４３  前面
４４  被係合部材
Ｃ  中央部
Ｓ  空間
Ｗ  椀状
【図１】
2005152254.tif 000003
【図２】
2005152254.tif 000004
【図３】
2005152254.tif 000005
【図４】
2005152254.tif 000006
【図５】
2005152254.tif 000007
【図６】
2005152254.tif 000008
【図７】
2005152254.tif 000009
【図８】
2005152254.tif 000010